(57)【要約】【課題】透過照明光学系及び透過光源を容易に変更可能な顕微鏡を提供する。【解決手段】下側水平部１８ａと上側水平部１７とこれらの後部３２同士を連結する支柱部１８ｂとからなる側面視で略コの字型の顕微鏡本体３０と、透過光源１と、透過光源１からの照明光を顕微鏡本体３０に支持される標本１０に導き、標本１０を透過照明する透過照明光学系２７とを備えた顕微鏡であって、透過照明光学系２７及び透過光源１を、顕微鏡本体３０の下側水平部１８ａに着脱可能に構成する。【選択図】図１
2010054734.tif 000002
【特許請求の範囲】
【請求項１】
下側水平部と上側水平部とこれらの後部同士を連結する支柱部とからなる側面視で略コの字型の顕微鏡本体と、透過光源と、前記透過光源からの照明光を前記顕微鏡本体に支持される標本に導き、前記標本を透過照明する透過照明光学系とを備えた顕微鏡であって、
前記透過照明光学系及び前記透過光源は、前記顕微鏡本体の前記下側水平部に着脱可能に構成されたことを特徴とする顕微鏡。
【請求項２】
前記透過照明光学系と前記透過光源の少なくとも一方は予め準備された複数の種類から選択可能であり、前記下側水平部は、前記透過照明光学系及び前記透過光源を着脱交換可能に構成されたことを特徴とする請求項１に記載の顕微鏡。
【請求項３】
前記透過照明光学系は、色変換フィルタ又は減光フィルタの少なくとも一方を含む第１の透過照明光学系と、色変換フィルタ及び減光フィルタを含まない第２の透過照明光学系の２種類から選択可能であり、第１の透過照明光学系と第２の透過照明光学系とは、前記下側水平部に対して互換性を有して着脱可能であることを特徴とする請求項２に記載の顕微鏡。
【請求項４】
色変換フィルタ又は減光フィルタは、前記透過照明光学系の光路に電動で挿脱可能に構成されたことを特徴とする請求項２又は請求項３に記載の顕微鏡。
【請求項５】
前記透過光源は、ハロゲン光源及びＬＥＤ光源の２種類から選択可能であり、前記ハロゲン光源と前記ＬＥＤ光源とは、前記下側水平部に対して互換性を有して着脱可能であることを特徴とする請求項２から請求項４のいずれか一つに記載の顕微鏡。
【請求項６】
前記透過照明光学系は、透過照明光軸を偏向するミラーを含む第３の透過照明光学系と、透過照明光軸を偏向するミラーを含まない第４の透過照明光学系の２種類から選択可能であり、第３の透過照明光学系と第４の透過照明光学系とは、前記下側水平部に対して互換性を有して着脱可能であることを特徴とする請求項２から請求項５のいずれか一つに記載の顕微鏡。
【請求項７】
前記透過照明光学系は、前記透過光源からの照明光を概略平行光にするコレクタレンズと、前記コレクタレンズからの光を制限する視野絞りと、前記視野絞りからの透過照明光軸を偏向するミラーと、前記ミラーからの視野絞り像を概略無限遠に投影する窓レンズとを含んで構成され、
少なくとも前記透過光源と前記コレクタレンズは前記下側水平部の後部側に、少なくとも前記視野絞りと前記ミラーと前記窓レンズは前記下側水平部の前部側に、それぞれ一体的に着脱可能に構成されたことを特徴とする請求項１から請求項６のいずれか一つに記載の顕微鏡。
【請求項８】
前記視野絞りと前記ミラーと前記窓レンズに加え、色変換フィルタと減光フィルタの少なくとも一方も前記下側水平部の前部側に一体的に着脱可能に構成されたことを特徴とする請求項７に記載の顕微鏡。
【請求項９】
前記透過光源からの光を標本に導き、第１群レンズと開口絞りと第２群レンズとを含んでなるコンデンサレンズをさらに備え、
前記第１群レンズは、前記下側水平部の前部側に一体的に着脱可能な前記透過照明光学系に含まれることを特徴とする請求項７又は請求項８に記載の顕微鏡。
【請求項１０】
前記下側水平部の前部側に一体的に着脱可能な前記視野絞り、前記ミラー及び前記窓レンズに替えて少なくとも透過光源、コレクタレンズ及び視野絞りが前記下側水平部の前部側に対して一体的に着脱可能に構成されたことを特徴とする請求項７に記載の顕微鏡。
【請求項１１】
前記下側水平部の前部側に対して一体的に着脱可能な透過光源、コレクタレンズ及び視野絞りを含む部分は、前記下側水平部の前部側に装着時に透過光源用の電源と電気的に接続されることを特徴とする請求項１０に記載の顕微鏡。
【請求項１２】
前記下側水平部の後部側に対して一体的に着脱可能な前記透過光源及び前記コレクタレンズを含む部分は、前記下側水平部の後部側に装着時に透過光源用の電源と電気的に接続され、この電源は、前記下側水平部の前部側に対して一体的に着脱可能な透過光源、コレクタレンズ及び視野絞りが前記下側水平部の前部側に装着時に電気的に接続される透過光源用の電源であることを特徴とする請求項１１に記載の顕微鏡。
【請求項１３】
前記透過光源用の電源をさらに備え、この電源は前記顕微鏡本体に着脱可能に構成されたことを特徴とする請求項１から請求項１２のいずれか一つに記載の顕微鏡。
【発明の詳細な説明】
【技術分野】
【０００１】
本発明は、標本を透過照明する透過照明光学系及び透過光源を備えた顕微鏡に関するものである。
【背景技術】
【０００２】
従来、透過照明光学系及び透過光源を備えた正立型の顕微鏡が知られている（例えば、特許文献１参照）。こうした顕微鏡は、例えば図１１〜図１５に示す５つの型式（従来例１〜５）に分類することができる。以下に、従来例１〜５の顕微鏡について図面を参照しながら説明する。
【０００３】
（従来例１）
図１１の概略側断面図に基づき、従来例１の構成及び作用を説明する。
図１１に示すように、従来例１の顕微鏡は、側面視でコの字状の顕微鏡本体３０により構成され、顕微鏡本体３０は、側面視でＬ字型のフレーム１８と、アーム１７とからなる。フレーム１８のベース部１８ａの後部（図１１の左方）には、透過光源としてのハロゲン光源１が配置されてある。
【０００４】
ハロゲン光源１から出射した照明光は、フレーム１８のベース部１８ａに内蔵されたコレクタレンズ３により概略平行光となり、視野絞り（以下「ＦＳ」という。）６、ミラー７、窓レンズ８、コンデンサレンズ９を介して標本１０を照明する。より具体的には、コレクタレンズ３により概略平行光となった照明光は、窓レンズ８、コンデンサレンズ９の第１群レンズ９ａにより開口絞り（以下「ＡＳ」という。）９ｂへ集光してコンデンサレンズ９の第２群レンズ９ｃを介して標本１０全体をむらなく照明する。なお、開口絞り９ｂは、その径を変更することで標本１０のコントラストを変えることができる。
【０００５】
また、ＦＳ６から出射した照明光は、ミラー７を介して窓レンズ８により概略平行光となり、コンデンサレンズ９により標本面へ集光されるとともに、ＦＳ像が標本面へ投影される。なお、ＦＳ６は、その径を変更することで標本面上での照明範囲（照野）を変えることができる。
【０００６】
コンデンサレンズ９は、図示しない丸アリ等の公知の手段によってコンデンサホルダ２１に着脱可能に保持されており、コンデンサハンドル２２を回転させることで、ステージホルダ２０に対してコンデンサホルダ２１を介してコンデンサレンズ９を上下させることが可能になっている。標本１０は、ステージ１９を介してステージホルダ２０に載置されているので、コンデンサレンズ９を上下させることでＦＳ像を標本面に正確に投影できるようになっている。
【０００７】
ここで、ハロゲン光源１の構成を簡単に説明しておく。ハロゲン光源１は、ランプハウス２に保持されており、ランプハウス２は、本体３０のフレーム１８に対してピン２ａを介して着脱可能に保持されている。なお、ハロゲン光源１の電源４は、フレーム１８に内蔵されており、ピン２ａを介してハロゲン光源１と電気的に接続できるようになっている。また、フレーム１８のベース部１８ａ内には、上述したコレクタレンズ３、ＦＳ６、ミラー７、窓レンズ８も内蔵されている。
【０００８】
次に、従来例１の観察系の基本的な構成を説明する。
図１１に示すように、コンデンサレンズ９から出射した照明光は、標本１０を透過し、対物レンズ１１で平行光となり、鏡筒１３内にある結像レンズ１４により、プリズム１５や図示しない他のプリズムを介して標本像が結像され、接眼レンズ１６により目視で観察できるようになっている。なお、本体３０のアーム１７に着脱可能に保持されたレボルバ１２には、複数の対物レンズ１１が装着可能になっており、レボルバ１２を回転させることで所望の倍率の対物レンズ１１を光路に入れて観察ができるようになっている。
【０００９】
次に、従来例１のフォーカス及びステージの基本的な構成を説明する。
図１１に示すように、ステージ１９は、ステージホルダ２０に着脱可能に保持されており、ステージホルダ２０は上下方向に動く可動ガイド２３にやはり着脱可能に保持されている。フォーカスハンドル５を回転させると、図示しないギヤ、ラックピニオン等の公知の手段により可動ガイド２３を上下に動かすことが可能になっており、これによりステージ１９に載置された標本１０を対物レンズ１１に対して上下させてフォーカスが合わせられるようになっている。
【００１０】
なお、フォーカスハンドル５で標本１０を上下させると、コンデンサレンズ９も標本１０と一体的に上下する。一方、ＦＳ６から出射した照明光は、窓レンズ８により平行光となっている。したがって、標本１０の厚さが大きく変わらない場合には、コンデンサレンズ９をコンデンサハンドル２２により改めて上下させてＦＳ６の像を標本面へ投影し直す必要はない。
【００１１】
さらに、ステージ１９は、図示しないステージハンドルを回転させることで、載置した標本１０をＸ（図１１の紙面に垂直な方向）、Ｙ（図１の左右方向）にそれぞれ移動できるようになっており、所望の観察位置を探すことができる。
【００１２】
以上のような構成において、検鏡者は、標本１０をステージ１９の上面に載置し、フォーカスハンドル５を回転させて標本１０へのフォーカスを合わせ、図示しないステージハンドルを回転させて標本１０の所望の観察位置を探すことで、接眼レンズ１６により目視での観察が可能となる。
【００１３】
（従来例２）
次に、図１２に基づき、従来例２の構成及び作用を説明する。
従来例２の顕微鏡は、従来例１の顕微鏡に対して透過照明光路中にフィルタを配置した点のみ異なるため、この点以外の上記従来例１で説明済みの構成に関する説明は省略する。
【００１４】
図１２に示すように、コレクタレンズ３とＦＳ６との間の透過照明光路に、２枚のフィルタ２４が挿脱可能に配置される。フィルタ２４は主に、ハロゲンランプの色温度を上げて赤みがかった色から昼光色に変換する色温度変換フィルタや、明るさの調節をするための減光フィルタなどが用いられる。明るさの調節は、図示しないハロゲンランプの電圧によっても可能であるが、電圧を変化させると色が変化してしまうので、一般には色の変化がない分光透過特性が均一な減光フィルタが用いられている。
【００１５】
（従来例３）
次に、図１３に基づき、従来例３の構成及び作用を説明する。
従来例３の顕微鏡は、従来例１の顕微鏡においてハロゲン光源をＬＥＤ光源に変更するとともに、これに合わせて光源用の電源もＬＥＤ光源用に変更した点が異なっている。このため、これら以外の上記従来例１で説明済みの構成に関する説明は省略する。
【００１６】
ハロゲン光源の場合には、上記従来例２で説明したように、色温度変換フィルタや減光フィルタが必要であったが、従来例３におけるＬＥＤ光源の場合には、あらかじめ昼光色のＬＥＤを使用すれば色温度変換フィルタは不要であり、また電圧や電流を変化させても色温度の変化は殆どないので、減光フィルタも不要となる。なお、上記従来例１では、ハロゲン光源であるにもかかわらずフィルタを内蔵していないが、色味を気にしない場合には不要なので安価に提供できる。
【００１７】
（従来例４）
次に、図１４に基づき、従来例４の構成及び作用を説明する。
従来例４の顕微鏡は、従来例１の顕微鏡に対して標本面の位置を下げた点のみ異なっている。このため、この点以外の上記従来例１で説明済みの構成に関する説明は省略する。
【００１８】
図１４に示すように、従来例４のステージホルダ２０は、従来例１のステージホルダ２０よりも上下方向の厚さが薄くなっており、その分可動ガイド２３の下の方へステージホルダ２０を装着することができる。こうすることで標本１０の位置が下がる。ステージ１９自体の厚さは、従来例１におけるステージ１９の厚さと同じである。
【００１９】
さらに、従来例４においては、ステージホルダ２０とともにコンデンサレンズ９も下に下がるが、第１群レンズ９ａがフレーム１８のベース部１８ａに干渉することを回避するため、第１群レンズ９ａのみをベース部１８ａに内蔵させている。これに伴い、窓レンズ８、ＦＳ６も透過光源１側にずらした構成となっている。このような構成により、標本１０の積載面を下げることが可能となり、アーム１７の下側に従来例１に比べて大きな空間が形成されるので、標本１０の交換作業がし易くなっている。
【００２０】
（従来例５）
次に、図１５に基づき、従来例５の構成及び作用を説明する。
従来例５の顕微鏡は、従来例１の透過照明光学系をミラーによる折り返し光路からミラーがないストレート光路に変更した点と、透過光源をハロゲン光源からＬＥＤ光源に変更した点が異なっている。このため、これら以外の上記従来例１で説明済みの構成に関する説明は省略する。
【００２１】
図１５に示すように、従来例５の顕微鏡は、従来例１において透過光源をハロゲン光源１からＬＥＤ光源２５に変更し、これに合わせて光源用の電源４もＬＥＤ光源用の電源２６に変更した構成となっている。ＬＥＤ光源２５は、観察光軸の真下に配置されており、ＬＥＤ光源２５から出射した照明光はコレクタレンズ３で概略平行光になり、ＦＳ６を介して第１群レンズ９ａによりＡＳ９ｂへ集光されるとともにＬＥＤ光源２５の光源像を結ぶ。なお、従来例５の顕微鏡においては、窓レンズ８を有しておらず、従来例１とは異なっている。
【００２２】
また、ＦＳ６から出射した照明光はコンデンサレンズ９を介して標本面に集光されるとともに、ＦＳ像が標本面に投影される。ＦＳ６から出射して第１群レンズ９ａに入射するまでの間の照明光は、従来例１とは異なり平行光ではないので、標本１０へのフォーカスをずらした場合にはＦＳ像は大きくデフォーカスしてしまう。このような従来例５の顕微鏡では、照明性能は従来例１のようなミラー折り返しタイプよりも多少劣るが、ミラー７や窓レンズ８が不要な分、安価である。また、ＬＥＤ光源２５は観察光軸の真下に配置されるので、この光源の交換は比較的容易に行うことができる。
【００２３】
【特許文献１】特開２００７−１４８３６４号公報
【発明の開示】
【発明が解決しようとする課題】
【００２４】
しかしながら、上記の従来例１〜５の顕微鏡においては、以下のような問題がある。
従来例１〜５の顕微鏡では、透過照明光学系や透過光源の種類毎に顕微鏡本体の構造が異なっている。このため、従来例１〜５の各顕微鏡を製造する場合には、透過照明光学系の種類や透過光源の種類に応じて製造すべき顕微鏡本体の種類が増えることになり、生産管理や在庫管理が煩雑となって管理負担が増大し、ひいては製造コストの上昇を招くこととなる。
【００２５】
また、透過照明光学系又は透過光源だけを異なる種類に変更したい場合であっても、顕微鏡ごと変更しなければならないので、導入費用が嵩み、容易にシステムアップすることができない。
【００２６】
本発明は、上記実情に鑑みてなされたものであり、透過照明光学系及び透過光源を容易に変更可能な顕微鏡を提供することを目的とする。
【課題を解決するための手段】
【００２７】
上記の目的を達成するために、本発明に係る顕微鏡は、下側水平部と上側水平部とこれらの後部同士を連結する支柱部とからなる側面視で略コの字型の顕微鏡本体と、透過光源と、前記透過光源からの照明光を前記顕微鏡本体に支持される標本に導き、前記標本を透過照明する透過照明光学系とを備えた顕微鏡であって、前記透過照明光学系及び前記透過光源は、前記顕微鏡本体の前記下側水平部に着脱可能に構成されたことを特徴とする。
【００２８】
また、本発明に係る顕微鏡は、上述した発明において、前記透過照明光学系と前記透過光源の少なくとも一方は予め準備された複数の種類から選択可能であり、前記下側水平部は、前記透過照明光学系及び前記透過光源を着脱交換可能に構成されたことを特徴とする。
【００２９】
また、本発明に係る顕微鏡は、上述した発明において、前記透過照明光学系は、色変換フィルタ又は減光フィルタの少なくとも一方を含む第１の透過照明光学系と、色変換フィルタ及び減光フィルタを含まない第２の透過照明光学系の２種類から選択可能であり、第１の透過照明光学系と第２の透過照明光学系とは、前記下側水平部に対して互換性を有して着脱可能であることを特徴とする。
【００３０】
また、本発明に係る顕微鏡は、上述した発明において、色変換フィルタ又は減光フィルタは、前記透過照明光学系の光路に電動で挿脱可能に構成されたことを特徴とする。
【００３１】
また、本発明に係る顕微鏡は、上述した発明において、前記透過光源は、ハロゲン光源及びＬＥＤ光源の２種類から選択可能であり、前記ハロゲン光源と前記ＬＥＤ光源とは、前記下側水平部に対して互換性を有して着脱可能であることを特徴とする。
【００３２】
また、本発明に係る顕微鏡は、上述した発明において、前記透過照明光学系は、透過照明光軸を偏向するミラーを含む第３の透過照明光学系と、透過照明光軸を偏向するミラーを含まない第４の透過照明光学系の２種類から選択可能であり、第３の透過照明光学系と第４の透過照明光学系とは、前記下側水平部に対して互換性を有して着脱可能であることを特徴とする。
【００３３】
また、本発明に係る顕微鏡は、上述した発明において、前記透過照明光学系は、前記透過光源からの照明光を概略平行光にするコレクタレンズと、前記コレクタレンズからの光を制限する視野絞りと、前記視野絞りからの透過照明光軸を偏向するミラーと、前記ミラーからの視野絞り像を概略無限遠に投影する窓レンズとを含んで構成され、少なくとも前記透過光源と前記コレクタレンズは前記下側水平部の後部側に、少なくとも前記視野絞りと前記ミラーと前記窓レンズは前記下側水平部の前部側に、それぞれ一体的に着脱可能に構成されたことを特徴とする。
【００３４】
また、本発明に係る顕微鏡は、上述した発明において、前記視野絞りと前記ミラーと前記窓レンズに加え、色変換フィルタと減光フィルタの少なくとも一方も前記下側水平部の前部側に一体的に着脱可能に構成されたことを特徴とする。
【００３５】
また、本発明に係る顕微鏡は、上述した発明において、前記透過光源からの光を標本に導き、第１群レンズと開口絞りと第２群レンズとを含んでなるコンデンサレンズをさらに備え、前記第１群レンズは、前記下側水平部の前部側に一体的に着脱可能な前記透過照明光学系に含まれることを特徴とする。
【００３６】
また、本発明に係る顕微鏡は、上述した発明において、前記下側水平部の前部側に一体的に着脱可能な前記視野絞り、前記ミラー及び前記窓レンズに替えて少なくとも透過光源、コレクタレンズ及び視野絞りが前記下側水平部の前部側に対して一体的に着脱可能に構成されたことを特徴とする。
【００３７】
また、本発明に係る顕微鏡は、上述した発明において、前記下側水平部の前部側に対して一体的に着脱可能な透過光源、コレクタレンズ及び視野絞りを含む部分は、前記下側水平部の前部側に装着時に透過光源用の電源と電気的に接続されることを特徴とする。
【００３８】
また、本発明に係る顕微鏡は、上述した発明において、前記下側水平部の後部側に対して一体的に着脱可能な前記透過光源及び前記コレクタレンズを含む部分は、前記下側水平部の後部側に装着時に透過光源用の電源と電気的に接続され、この電源は、前記下側水平部の前部側に対して一体的に着脱可能な透過光源、コレクタレンズ及び視野絞りが前記下側水平部の前部側に装着時に電気的に接続される透過光源用の電源であることを特徴とする。
【００３９】
また、本発明に係る顕微鏡は、上述した発明において、前記透過光源用の電源をさらに備え、この電源は前記顕微鏡本体に着脱可能に構成されたことを特徴とする。
【発明の効果】
【００４０】
本発明によれば、下側水平部と上側水平部とこれらの後部同士を連結する支柱部とからなる側面視で略コの字型の顕微鏡本体と、透過光源と、前記透過光源からの照明光を前記顕微鏡本体に支持される標本に導き、前記標本を透過照明する透過照明光学系とを備えた顕微鏡であって、前記透過照明光学系及び前記透過光源は、前記顕微鏡本体の前記下側水平部に着脱可能に構成されたので、透過照明光学系及び透過光源を容易に変更することができる。これにより、顕微鏡本体の種類数を少なくとも１種類にすることが可能となるので、生産管理や在庫管理が容易になるとともに、製造コストを低減することができる。
【００４１】
また、本発明の他の顕微鏡によれば、前記透過照明光学系と前記透過光源の少なくとも一方は予め準備された複数の種類から選択可能であり、前記下側水平部は、前記透過照明光学系及び前記透過光源を着脱交換可能に構成されたので、予め準備された複数の種類の透過照明光学系又は透過光源の中からユーザーが所望の種類を選択して顕微鏡本体に装着することによって、１種類の顕微鏡本体に対して透過照明光学系及び透過光源を異なる種類に変更することができる。
【００４２】
また、本発明の他の顕微鏡によれば、前記透過照明光学系は、色変換フィルタ又は減光フィルタの少なくとも一方を含む第１の透過照明光学系と、色変換フィルタ及び減光フィルタを含まない第２の透過照明光学系の２種類から選択可能であり、第１の透過照明光学系と第２の透過照明光学系とは、前記下側水平部に対して互換性を有して着脱可能であるので、用途に応じてフィルタの有無を選択することができる。
【００４３】
また、本発明の他の顕微鏡によれば、色変換フィルタ又は減光フィルタは、前記透過照明光学系の光路に電動で挿脱可能に構成されたので、用途に応じて電動によるフィルタの挿脱を選択することができる。
【００４４】
また、本発明の他の顕微鏡によれば、前記透過光源は、ハロゲン光源及びＬＥＤ光源の２種類から選択可能であり、前記ハロゲン光源と前記ＬＥＤ光源とは、前記下側水平部に対して互換性を有して着脱可能であるので、用途に応じて光源の種類を選択することができる。
【００４５】
また、本発明の他の顕微鏡によれば、前記透過照明光学系は、透過照明光軸を偏向するミラーを含む第３の透過照明光学系と、透過照明光軸を偏向するミラーを含まない第４の透過照明光学系の２種類から選択可能であり、第３の透過照明光学系と第４の透過照明光学系とは、前記下側水平部に対して互換性を有して着脱可能であるので、用途に応じて透過照明光軸を偏向するミラーの有無を選択することができる。
【００４６】
また、本発明の他の顕微鏡によれば、前記透過照明光学系は、前記透過光源からの照明光を概略平行光にするコレクタレンズと、前記コレクタレンズからの光を制限する視野絞りと、前記視野絞りからの透過照明光軸を偏向するミラーと、前記ミラーからの視野絞り像を概略無限遠に投影する窓レンズとを含んで構成され、少なくとも前記透過光源と前記コレクタレンズは前記下側水平部の後部側に、少なくとも前記視野絞りと前記ミラーと前記窓レンズは前記下側水平部の前部側に、それぞれ一体的に着脱可能に構成されたので、用途に応じて透過光源及び透過照明光学系の種類をそれぞれ選択することができる。
【００４７】
また、本発明の他の顕微鏡によれば、前記視野絞りと前記ミラーと前記窓レンズに加え、色変換フィルタと減光フィルタの少なくとも一方も前記下側水平部の前部側に一体的に着脱可能に構成されたので、下側水平部の前部側に対して一体的に着脱可能な部分におけるフィルタの有無を用途に応じて選択することができる。
【００４８】
また、本発明の他の顕微鏡によれば、前記透過光源からの光を標本に導き、第１群レンズと開口絞りと第２群レンズとを含んでなるコンデンサレンズをさらに備え、前記第１群レンズは、前記下側水平部の前部側に一体的に着脱可能な前記透過照明光学系に含まれるので、コンデンサレンズの第１群レンズを含む透過照明光学系を用途に応じて選択することができる。
【００４９】
また、本発明の他の顕微鏡によれば、前記下側水平部の前部側に一体的に着脱可能な前記視野絞り、前記ミラー及び前記窓レンズに替えて少なくとも透過光源、コレクタレンズ及び視野絞りが前記下側水平部の前部側に対して一体的に着脱可能に構成されたので、下側水平部の前部側に一体的に着脱可能な透過照明光学系を用途に応じて選択することができる。
【００５０】
また、本発明の他の顕微鏡によれば、前記下側水平部の前部側に対して一体的に着脱可能な透過光源、コレクタレンズ及び視野絞りを含む部分は、前記下側水平部の前部側に装着時に透過光源用の電源と電気的に接続されるので、下側水平部の前部側に一体的に着脱可能な透過光源の種類を用途に応じて変更する場合であっても、透過光源用の電源を変更する必要はない。このため、透過光源用の電源の交換に要するコストの低減を図ることができる。
【００５１】
また、本発明の他の顕微鏡によれば、前記下側水平部の後部側に対して一体的に着脱可能な前記透過光源及び前記コレクタレンズを含む部分は、前記下側水平部の後部側に装着時に透過光源用の電源と電気的に接続され、この電源は、前記下側水平部の前部側に対して一体的に着脱可能な透過光源、コレクタレンズ及び視野絞りが前記下側水平部の前部側に装着時に電気的に接続される透過光源用の電源であるので、透過光源用の電源を下側水平部の前部側に装着される透過光源と、後部側に装着される透過光源とで共用することができる。
【００５２】
また、本発明の他の顕微鏡によれば、前記透過光源用の電源をさらに備え、この電源は前記顕微鏡本体に着脱可能に構成されたので、透過光源の種類の変更に伴って透過光源用の電源も容易に変更することができる。
【発明を実施するための最良の形態】
【００５３】
以下に添付図面を参照しながら、本発明に係る顕微鏡の好適な実施の形態（実施の形態１〜３）を詳細に説明する。
【００５４】
（実施の形態１）
以下、本発明の実施の形態１を、図１、図２、図３、図４及び図５に基づいて説明する。なお、上記従来例１〜５の図１１〜１５が本実施の形態１の図１〜図５にそれぞれ対応しており、従来例１〜５で説明したのと同一の構成要素には同じ符号を付して説明するものとする。
【００５５】
図１〜図５に示すように、本実施の形態１の顕微鏡１０１〜１０５は、側面視でコの字状の顕微鏡本体３０によりそれぞれ構成される。顕微鏡本体３０は、側面視でＬ字型のフレーム１８と、上側水平部としてのアーム１７とから構成される。フレーム１８は、下側水平部としてのベース部１８ａと支柱部１８ｂとからなり、支柱部１８ｂはベース部１８ａとアーム１７との後部３２同士を連結している。
【００５６】
顕微鏡本体３０は、図中破線で囲まれた透過照明光学系としての透過照明ユニット２７をフレーム１８のベース部１８ａに内蔵している。この透過照明ユニット２７は、フレーム１８に対して検鏡者から見て後方に、つまりベース部１８ａの後部３２側に対して一体的に着脱可能に保持されている。透過照明ユニット２７の着脱保持は、図示しない三面付き当てとネジ固定による方法や、回転止めピン付きの嵌合と付き当てによる方法などの公知の手段によって達成される。
【００５７】
ここで、透過照明ユニット２７は、図１に示す顕微鏡１０１では、コレクタレンズ３、ＦＳ６、ミラー７、窓レンズ８、ハロゲン光源用電源４、ピン２ａを含んでいる。また、図２に示す顕微鏡１０２の透過照明ユニット２７は、コレクタレンズ３、ＦＳ６、ミラー７、窓レンズ８、ハロゲン光源用電源４、ピン２ａに加え、さらにフィルタ２４を含んでいる。また、図３に示す顕微鏡１０３の透過照明ユニット２７は、コレクタレンズ３、ＦＳ６、ミラー７、窓レンズ８、ＬＥＤ光源用電源２６、ピン２ａを含んでいる。また、図４に示す顕微鏡１０４の透過照明ユニット２７は、コレクタレンズ３、ＦＳ６、窓レンズ８、ミラー７、第１群レンズ９ａ、ハロゲン光源用電源４、ピン２ａを含んでいる。また、図５に示す顕微鏡１０５の透過照明ユニット２７は、コレクタレンズ３、ＦＳ６、ＬＥＤ光源２５、ＬＥＤ光源用電源２６を含んでいる。
【００５８】
図１〜図５に示されるランプハウス２は、透過照明ユニット２７に対して着脱可能に保持されており、ランプハウス２内に収容される光源とランプハウス２外部の電源との電気的な接続及び切断が可能なようにされてある。そして、図１〜図５に示される５種類の透過照明ユニット２７は、それぞれ互いに交換可能となっており、ハロゲン光源又はＬＥＤ光源を収容するランプハウス２も図１〜図５の各組み合わせに応じて、透過照明ユニット２７に対して互いに交換可能となっている。
【００５９】
なお、図示していないが、ハロゲン光源用電源４とＬＥＤ光源用電源２６が共に互いの光源用の電源としても使用できる場合には、ランプハウス２のみを交換することで、透過光源をハロゲン光源１とＬＥＤ光源２５とに容易に変更することができる。
【００６０】
また、図示していないが、ハロゲン光源用電源４とＬＥＤ光源用電源２６が共に互いの光源用の電源としても使用できる場合や、同じ種類の光源用の電源としての使用を前提とする場合などには、電源を透過照明ユニット２７に含めないようにし、フレーム１８内に着脱不能に内蔵させるようにしてもよい。
【００６１】
上記の透過照明ユニット２７としては、収容される構成部材の種類、組み合わせ及び配置態様を変更した種々の透過照明ユニットを用いることができる。この場合、例えば、図１〜図５に示される透過照明ユニット２７内に収容されるミラー等の構成部材の一部を置換した透過照明ユニットや、構成部材の配置を変更した透過照明ユニットを用いてもよい。
【００６２】
上記の実施の形態１において、図２に示される顕微鏡１０２の透過照明ユニット２７内のフィルタ２４は、手動によって透過照明光学系の光路中に挿脱することができるが、手動による挿脱方式だけでなく、例えばユーザーからのスイッチ操作によって、電動で光路中に挿脱されるような構成としてもよい。
【００６３】
以上の実施の形態１の顕微鏡１０１〜１０５の構成及び作用によれば、１種類の顕微鏡本体３０に対して各種の透過照明ユニット２７及びランプハウス２を着脱交換することで、透過照明光学系及び透過光源を異なる種類に容易に変更することができる。このため、ユーザーは、所望の透過照明光学系及び透過光源を選択することが容易となる。一方、顕微鏡の製造において、顕微鏡本体の種類数を少なくとも１種類にすることが可能となるので、生産管理や在庫管理が容易になるとともに、製造コストの削減を図ることができる。
【００６４】
（実施の形態２）
次に、本発明の実施の形態２を図６、図７及び図８に基づいて説明する。
なお、従来例１（図１１）が本実施の形態２の図６に、従来例２（図１２）が本実施の形態２の図７に、従来例４（図１４）が本実施の形態２の図８に対応している。そこで、以下の説明においては、従来例１、２及び４で説明したのと同一の構成要素には同じ符号を付して説明するものとする。
【００６５】
図６〜図８に示すように、本実施の形態２の顕微鏡２０１〜２０３は、透過照明光学系としての透過照明ユニット２８をフレーム１８のベース部１８ａに内蔵している。この透過照明ユニット２８は、フレーム１８に対して検鏡者から見て前方に、つまりベース部１８ａの前部３１側に対して一体的に着脱可能に保持されている。透過照明ユニット２８の着脱保持は、図６〜図８に示すように、前部３１側から前後方向にスライドさせて着脱するスライドアリ２８ａによる方法によって達成されているが、図示しない三面付き当てとネジ固定による方法や、回転止めピン付きの嵌合と付き当てによる方法などの公知の手段によっても達成することができる。
【００６６】
ここで、透過照明ユニット２８は、図６に示す顕微鏡２０１では、ＦＳ６、ミラー７、窓レンズ８を含んでいる。また、図７に示す顕微鏡２０２の透過照明ユニット２８は、ＦＳ６、ミラー７、窓レンズ８に加え、さらにフィルタ２４を含んでいる。また、図８に示す顕微鏡２０３の透過照明ユニット２８は、ＦＳ６、窓レンズ８、ミラー７、第１群レンズ９ａを含んでいる。
【００６７】
図６〜図８に示される３種類の透過照明ユニット２８は、それぞれ互いに交換可能となっている。なお、図８の顕微鏡２０３の場合には、従来例４（図１４）と同様に、コンデンサレンズ９、ステージホルダ２０、コンデンサホルダ２１の構成も変更する必要がある。
【００６８】
以上の実施の形態２の顕微鏡２０１〜２０３の構成及び作用によれば、上記の実施の形態１と同様の効果に加え、透過光源と透過照明光学系とを１種類の顕微鏡本体３０に対して別々に着脱交換可能に構成することで、ＦＳ６の開閉用の操作部や、フィルタ２４の挿脱用の操作部などの顕微鏡本体３０の表面に配置されるべき操作部が構成し易くなる。この場合、仕立てによっては実施の形態１の顕微鏡１０１〜１０５よりも安価に構成できる可能性もある。
【００６９】
（実施の形態３）
次に、本発明の実施の形態３を、図９及び図１０に基づいて説明する。
なお、従来例３（図１３）が本実施の形態３の図９に、従来例５（図１５）が本実施の形態３の図１０に対応している。そこで、以下の説明においては、上記従来例３及び５で説明したのと同一の構成要素には同じ符号を付して説明するものとする。また、透過照明ユニットについては上記実施の形態２と同様であるので、実施の形態２で説明済みの構成については説明を省略する。
【００７０】
図９、図１０に示すように、本実施の形態３の顕微鏡３０１、３０２は、透過照明光学系としての透過照明ユニット２８を、フレーム１８のベース部１８ａの前部３１側に内蔵している。ＬＥＤ光源用電源２６は、フレーム１８に着脱不能に内蔵されており、ランプハウス２側へ電気的に接続するピン２ａと、透過照明ユニット２８側へ電気的に接続するピン２８ｂへ共に接続されている。このため、図１０に示すように、光源を備える透過照明ユニット２８をベース部１８ａにスライドアリ２８ａを介して挿入すると、ユニット２８に内蔵されたＬＥＤ光源２５がピン２８ｂを介してＬＥＤ光源用電源２６に電気的に接続されるようになっている。
【００７１】
以上の実施の形態３の顕微鏡３０１、３０２の構成及び作用によれば、上記の実施の形態１及び実施の形態２と同様の効果に加え、ＬＥＤ光源２５をベース部１８ａの後部３２側に配置する場合であっても、ベース部１８ａの前部３１側の観察光軸の真下に配置する場合であっても、フレーム１８に内蔵された光源用の電源２６を利用することができる。このように透過照明光学系を変更しても光源用の電源は交換する必要がないので経済的である。
【００７２】
なお、上記の実施の形態３においては、ＬＥＤ光源２５を用いる場合について説明したが、ＬＥＤ光源２５の代わりにハロゲン光源１を用いてもよく、いずれにしても本実施の形態３と同一の作用及び効果を奏することができる。
【００７３】
以上、本発明の実施の形態１〜３について説明した。上記の実施の形態１〜３においては、いずれも透過照明を用いる顕微鏡について言及しているが、本発明の顕微鏡は、透過照明を用いない場合、例えば落射照明だけを使用して透過照明を用いない場合にも使用可能である。この場合、例えば、本発明の顕微鏡本体から透過照明ユニットやランプハウスを取り外した状態で使用すればよい。
【図面の簡単な説明】
【００７４】
【図１】本発明の実施の形態１の顕微鏡の一例を示す概略側断面図である。
【図２】本発明の実施の形態１の顕微鏡の一例を示す概略側断面図である。
【図３】本発明の実施の形態１の顕微鏡の一例を示す概略側断面図である。
【図４】本発明の実施の形態１の顕微鏡の一例を示す概略側断面図である。
【図５】本発明の実施の形態１の顕微鏡の一例を示す概略側断面図である。
【図６】本発明の実施の形態２の顕微鏡の一例を示す概略側断面図である。
【図７】本発明の実施の形態２の顕微鏡の一例を示す概略側断面図である。
【図８】本発明の実施の形態２の顕微鏡の一例を示す概略側断面図である。
【図９】本発明の実施の形態３の顕微鏡の一例を示す概略側断面図である。
【図１０】本発明の実施の形態３の顕微鏡の一例を示す概略側断面図である。
【図１１】従来例１の顕微鏡の一例を示す概略側断面図である。
【図１２】従来例２の顕微鏡の一例を示す概略側断面図である。
【図１３】従来例３の顕微鏡の一例を示す概略側断面図である。
【図１４】従来例４の顕微鏡の一例を示す概略側断面図である。
【図１５】従来例５の顕微鏡の一例を示す概略側断面図である。
【符号の説明】
【００７５】
１  ハロゲン光源（透過光源）
２  ランプハウス
２ａ  ピン
３  コレクタレンズ
４  ハロゲン光源用の電源
５  フォーカスハンドル
６  視野絞り（ＦＳ）
７  ミラー
８  窓レンズ
９  コンデンサレンズ
９ａ  第１群レンズ
９ｂ  開口絞り（ＡＳ）
９ｃ  第２群レンズ
１０  標本
１１  対物レンズ
１２  レボルバ
１３  鏡筒
１４  結像レンズ
１５  プリズム
１６  接眼レンズ
１７  アーム（上側水平部）
１８  フレーム
１８ａ  ベース部（下側水平部）
１８ｂ  支柱部
１９  ステージ
２０  ステージホルダ
２１  コンデンサホルダ
２２  コンデンサハンドル
２３  可動ガイド
２４  フィルタ
２５  ＬＥＤ光源（透過光源）
２６  ＬＥＤ光源用の電源
２７，２８  透過照明ユニット（透過照明光学系）
２８ａ  スライドアリ
２８ｂ  ピン
３０  顕微鏡本体
３１  前部
３２  後部
１０１，１０２，１０３，１０４，１０５  実施の形態１の顕微鏡
２０１，２０２，２０３  実施の形態２の顕微鏡
３０１，３０２  実施の形態３の顕微鏡
【図１】
2010054734.tif 000003
【図２】
2010054734.tif 000004
【図３】
2010054734.tif 000005
【図４】
2010054734.tif 000006
【図５】
2010054734.tif 000007
【図６】
2010054734.tif 000008
【図７】
2010054734.tif 000009
【図８】
2010054734.tif 000010
【図９】
2010054734.tif 000011
【図１０】
2010054734.tif 000012
【図１１】
2010054734.tif 000013
【図１２】
2010054734.tif 000014
【図１３】
2010054734.tif 000015
【図１４】
2010054734.tif 000016
【図１５】
2010054734.tif 000017